【手続補正書】
【提出日】平成19年5月9日(2007.5.9)
【手続補正１】
【補正対象書類名】明細書
【補正対象項目名】特許請求の範囲
【補正方法】変更
【補正の内容】
【特許請求の範囲】
【請求項１】対物レンズによって形成された像を接眼レンズにより観察するファインダー光学系において、該接眼レンズは、物体側から順に、負レンズＬ１と、両レンズ面が凸面の正レンズＬ２と、アイポイント側に凹面を向けた負レンズＬ３より構成され、ｆを視度−１ディオプトリーでの該接眼レンズの焦点距離、ｆ２を該正レンズＬ２の焦点距離、Ｒｉｆを物体側からｉ番目のレンズの物体側のレンズ面の曲率半径、Ｒｉｒを物体側からｉ番目のレンズのアイポイント側のレンズ面の曲率半径としたとき
０．２５＜｜ｆ２／ｆ｜＜０．７５
２．０ ＜（Ｒ３ｆ＋Ｒ３ｒ）／（Ｒ３ｆ−Ｒ３ｒ）
の条件を満足することを特徴とするファインダー光学系。
【請求項２】前記正レンズＬ２は少なくとも１つの非球面を有する事を特徴とする請求項１記載のファインダー光学系。
【請求項３】前記負レンズＬ３は少なくとも１つの非球面を有する事を特徴とする請求項２記載のファインダー光学系。
【請求項４】前記負レンズＬ３は両レンズ面が非球面である事を特徴とする請求項２記載のファインダー光学系。
【請求項５】前記正レンズＬ２を光軸方向に移動させることで、視度調節を行うことを特徴とする請求項１又は２記載のファインダー光学系。
【請求項６】前記負レンズＬ１は成型材料であり、該負レンズＬ１の材質のアッベ数をνｄとしたとき
２０．０＜νｄ＜４０．０
を満足することを特徴とする請求項１記載のファインダー光学系。
【請求項７】前記接眼レンズにより、前記対物レンズによって形成された像を正立像形成用の光学部材を介して観察していることを特徴とする請求項１のファインダー光学系。
【請求項８】対物レンズによって形成された像を接眼レンズにより観察するファインダー光学系において、該接眼レンズは、物体側から順に、負レンズＬ１と、両レンズ面が凸面の正レンズＬ２と、アイポイント側に凹面を向けた負レンズのＬ３より構成され、ｆを視度−１ディオプトリーでの該接眼レンズの焦点距離、ｆ２を正レンズＬ２の焦点距離、Ｒｉｆを物体側からｉ番目のレンズの物体側のレンズ面の曲率半径、Ｒｉｒを物体側からｉ番目のレンズのアイポイント側のレンズ面の曲率半径、Ｄ３を該負レンズＬ３のレンズ厚としたとき
０．２５＜｜ｆ２／ｆ｜＜０．７５
２．０＜（Ｒ３ｆ＋Ｒ３ｒ）／（Ｒ３ｆ−Ｒ３ｒ）
０．０７＜Ｄ３／ｆ＜０．１５
の条件を満足することを特徴とするファインダー光学系。
【請求項９】前記正レンズＬ２は少なくとも１つの非球面を有する事を特徴とする請求項８記載のファインダー光学系。
【請求項１０】前記負レンズＬ３は少なくとも１つの非球面を有する事を特徴とする請求項８記載のファインダー光学系。
【請求項１１】前記正レンズＬ２を光軸方向に移動させることで、視度調節を行うことを特徴とする請求項８又は９記載のファインダー光学系。
【請求項１２】前記接眼レンズにより、前記対物レンズによって形成された像を正立像形成用の光学部材を介して観察していることを特徴とする請求項８のファインダー光学系。
【請求項１３】前記負レンズＬ１は成型材料であり、該負レンズＬ１の材質のアッベ数をνｄとしたとき
２０．０＜νｄ＜４０．０
を満足することを特徴とする請求項８のファインダー光学系。
【請求項１４】請求項１から１３のいずれか１項のファインダー光学系を有していることを特徴とする光学機器。
【手続補正２】
【補正対象書類名】明細書
【補正対象項目名】００２１
【補正方法】変更
【補正の内容】
【００２１】
本発明は、撮影レンズ（対物レンズ）によって所定面に形成した被写体像（ファインダー像）を観察する際、各要素を適切に設定することにより光学系全体の小型化を図りつつ、所定の大きさの観察倍率及び所定の長さのアイレリーフが容易に得られ、又、ファインダー視度調整も容易な観察者の要望に適宜対応することができ、しかも良好なるファインダー像の観察ができる一眼レフカメラ等に好適なファインダー光学系及びそれを用いた光学機器の提供を目的とする。
【手続補正３】
【補正対象書類名】明細書
【補正対象項目名】００２２
【補正方法】変更
【補正の内容】
【００２２】
【課題を解決するための手段】
請求項１の発明のファインダー光学系は対物レンズによって形成された像を接眼レンズにより観察するファインダー光学系において、該接眼レンズは、物体側から順に、負レンズＬ１と、両レンズ面が凸面の正レンズＬ２と、アイポイント側に凹面を向けた負レンズＬ３より構成され、ｆを視度−１ディオプトリーでの該接眼レンズの焦点距離、ｆ２を該正レンズＬ２の焦点距離、Ｒｉｆを物体側からｉ番目のレンズの物体側のレンズ面の曲率半径、Ｒｉｒを物体側からｉ番目のレンズのアイポイント側のレンズ面の曲率半径としたとき
０．２５＜｜ｆ２／ｆ｜＜０．７５…（１ａ）
２．０ ＜（Ｒ３ｆ＋Ｒ３ｒ）／（Ｒ３ｆ−Ｒ３ｒ）…（２ａ）
の条件を満足することを特徴としている。
【手続補正４】
【補正対象書類名】明細書
【補正対象項目名】００２８
【補正方法】変更
【補正の内容】
【００２８】
請求項７の発明は請求項１の発明において前記接眼レンズにより、前記対物レンズによって形成された像を正立像形成用の光学部材を介して観察していることを特徴としている。
【手続補正５】
【補正対象書類名】明細書
【補正対象項目名】００２９
【補正方法】変更
【補正の内容】
【００２９】
請求項８の発明のファインダー光学系は対物レンズによって形成された像を接眼レンズにより観察するファインダー光学系において、該接眼レンズは、物体側から順に、負レンズＬ１と、両レンズ面が凸面の正レンズＬ２と、アイポイント側に凹面を向けた負レンズＬ３より構成され、ｆを視度−１ディオプトリーでの該接眼レンズの焦点距離、ｆ２を正レンズＬ２の焦点距離、Ｒｉｆを物体側からｉ番目のレンズの物体側のレンズ面の曲率半径、Ｒｉｒを物体側からｉ番目のレンズのアイポイント側のレンズ面の曲率半径、Ｄ３を該負レンズＬ３のレンズ厚としたとき
０．２５＜｜ｆ２／ｆ｜＜０．７５          …（１ｂ）
２．０＜（Ｒ３ｆ＋Ｒ３ｒ）／（Ｒ３ｆ−Ｒ３ｒ）   …（２ｂ）
０．０７＜Ｄ３／ｆ＜０．１５             …（３ｂ）
の条件を満足することを特徴としている。
【手続補正６】
【補正対象書類名】明細書
【補正対象項目名】００３２
【補正方法】変更
【補正の内容】
【００３２】
請求項１２の発明は請求項８の発明において前記接眼レンズにより、前記対物レンズによって形成された像を正立像形成用の光学部材を介して観察していることを特徴としている。
【手続補正７】
【補正対象書類名】明細書
【補正対象項目名】００３６
【補正方法】変更
【補正の内容】
【００３６】
図３〜５、図９〜図１１、図１３〜図１５、図１７〜図１９は本発明に係わる接眼レンズの数値実施例１、３、４、５のファインダー視度が−１ディオブトリー、−３ディオブトリー、＋１ディオブトリーのときの収差図である。
【手続補正８】
【補正対象書類名】明細書
【補正対象項目名】００３９
【補正方法】変更
【補正の内容】
【００３９】
図において１は撮像レンズ、（対物レンズ）である。２はクイックリターンミラーであり、回転軸２ａを中心に回動可能となっている。３はピント板（フレネルレンズ）、４はピント板（焦点板）（マット面）であり、撮影レンズ１による物体像が形成されている５はペンタプリズムであり、像反転作用を有している。６は接眼レンズである。
【手続補正９】
【補正対象書類名】明細書
【補正対象項目名】００５４
【補正方法】変更
【補正の内容】
【００５４】
（ア−６）前記接眼レンズにより、前記対物レンズによって形成された像を正立像形成用の光学部材を介して観察していることである。
又、第２発明においては
（イ−１）前記正レンズＬ２は少なくとも１つの非球面を有する事である。
【手続補正１０】
【補正対象書類名】明細書
【補正対象項目名】００５７
【補正方法】変更
【補正の内容】
【００５７】
（イ−４）前記接眼レンズにより、前記対物レンズによって形成された像を正立像形成用の光学部材を介して観察していることである。
【手続補正１１】
【補正対象書類名】明細書
【補正対象項目名】００７０
【補正方法】変更
【補正の内容】
【００７０】
条件式（３ａ）、（４ａ）は物体側より１枚目の負レンズ６ａの材質のアッベ数を規定するものである。負レンズ６ａは条件式（３ａ）、（４ａ）の範囲の高分散の材質を選ぶことにより、色消し効果を得るためのものである。適切なアッベ数の材料を選ぶことで、倍率の色収差の補正を行うことができる。２枚目の正レンズ６ｂで発生する倍率色収差を補正するためには１枚目の負レンズ６ａに高分散の材質を用いることが最適で、数値実施例１ではポリカーボをもちいている。２枚目、３枚目のレンズにもアクリル材質を使うことで、３つのレンズ全てがモールド成型で構成でき、たいへん製作しやすいファインダー系を構成している。
【手続補正１２】
【補正対象書類名】図面
【補正対象項目名】図６
【補正方法】変更
【補正の内容】
【図６】
2001324684.tif 000001
【手続補正１３】
【補正対象書類名】図面
【補正対象項目名】図１２
【補正方法】変更
【補正の内容】
【図１２】
2001324684.tif 000002